(57)【要約】【課題】結束バンドを挿通孔に挿通してバンドを係合させた後であっても、切断することなく容易に鋸歯状列歯と係止爪との係合を解除し、ユーザの負担を軽減する。【解決手段】片側面に連続する鋸歯状列歯１１を供えた紐状のバンド部１０とバンド部の一端に連続して形成された挿通孔２０とを設け、さらに係止爪２１の開放端２２における鋸歯状列歯１１と係合する領域以外の部分から挿通孔２０の外部に延出するロック解除部２３を備えた。係止爪２１の開放端２２と鋸歯状列歯１１との係合を解除する際には、ロック解除部２３を押圧して挿通孔２０内におけるバンド部１０から離間する方向に弾性変形させる。【選択図】図２
2004314998.tif 000002
【特許請求の範囲】
【請求項１】
片側面に連続する鋸歯状列歯を備えた紐状のバンド部と該バンド部の一端に連続して形成された挿通孔とを有し、挿通孔の内部から突出し且つ開放端の一部の領域が挿通孔の内部で挿通孔に他端から挿入された前記バンド部の前記鋸歯状列歯の各歯とバンド部の厚み方向に択一的に弾性係合する係止爪を有する結束バンドにおいて、
前記一部の領域以外の部分から挿通孔の外部に延出するロック解除部を設けたことを特徴とする結束バンド。
【請求項２】
前記係止爪は、挿通孔におけるバンド部の挿通方向の下流側に向かって湾曲することを特徴とする請求項１に記載の結束バンド。
【発明の詳細な説明】
【０００１】
【発明の属する技術分野】
この発明は、オーディオ機器及び電化製品等のケーブル等の結束又は固定に用いる結束バンドに関する。
【０００２】
【従来の技術】
従来よりオーディオ機器や電化製品等のケーブル等を結束又は固定物に固定するため、図３（ａ）に示すような結束バンド５０を用いていた。結束バンド５０は、連続する鋸歯状列歯１１を片面側に設けたバンド部１０及びバンド部１０の一端に連続して形成された挿通孔２０等から構成される。また、結束バンド５０は、挿通孔２０の内部に係止爪２１を有し、図３（ｂ）に示すようにバンド部１０の他端を挿通孔２０に挿通させつつ鋸歯状列歯１１と係止爪２１とを弾性係合させてケーブル等の結束等を行う。
【０００３】
また、上述のような構成を適用した２本のナイロンバンドを互いに連結部を介してコの字型に一体化し、上記２本のナイロンバンドをケーブル及びケーブル受金物に襷がけしてケーブルをケーブル受金物に固定するケーブル固定用バンドがあった（例えば、特許文献１参照。）。
【０００４】
【特許文献１】
実開昭６４−２００２０号公報
【０００５】
【本発明が解決しようとする課題】
しかしながら、上述の鋸歯状列歯と係止爪とを係合させる結束バンド及び特許文献１の構成では、一度バンド部を挿通孔に挿通して鋸歯状列歯と係止爪とを係合させてしまうと係合を解除できない。そのため、修理等において結束の解除が必要な場合は工具等を用いて結束バンドを切断しなければならず、ユーザに大きな負担がかかってしまう。また、バンド部を切断してしまうので再使用することができず、新たな結束バンドを購入するコストがかかってしまう。
【０００６】
この発明の目的は、結束バンドを挿通孔に挿通してバンドを係合させた後であっても、切断することなく容易に鋸歯状列歯と係止爪との係合を解除することができ、ユーザの負担を軽減することができる結束バンドを提供することにある。
【０００７】
【課題を解決するための手段】
この発明は、上記の課題を解決するために、以下の構成を備えている。
【０００８】
（１）片側面に連続する鋸歯状列歯を備えた紐状のバンド部と該バンド部の一端に連続して形成された挿通孔とを有し、挿通孔の内部から突出し且つ開放端の一部の領域が挿通孔の内部で挿通孔に他端から挿入された前記バンド部の前記鋸歯状列歯の各歯とバンド部の厚み方向に択一的に弾性係合する係止爪を有する結束バンドにおいて、
前記一部の領域以外の部分から挿通孔の外部に延出するロック解除部を設けたことを特徴とする。
【０００９】
この構成においては、一部の領域が挿通孔の内部で鋸歯状列歯の各歯とバンド部の厚み方向に択一的に弾性係合される開放端について、前記一部の領域以外の部分から挿通孔の外部に延出するロック解除部が設けられている。
【００１０】
したがって、係止爪がバンド部の厚み方向に弾性変形し且つロック解除部が開放端の一部分から挿通孔の外部に露出しているので、ロック解除部の操作により係止爪がバンド部から離間し、開放端が解除される。そのため、バンド部を挿通孔から引き抜くためにバンド部が切断されることがなく、ユーザの負担が軽減される。
【００１１】
（２）前記係止爪は、挿通孔におけるバンド部の挿通方向の下流側に向かって湾曲することを特徴とする。
【００１２】
この構成においては、係止爪が挿通孔に挿通されるバンド部の挿通方向の下流側に向かって湾曲するように挿通孔の内部から突出しているので、開放端部分における係止爪の突出方向が上記挿通方向に略平行となる。そのため、開放端が上記挿通方向に略直交する方向であるバンド部の厚み方向に弾性変形し易くなる。
【００１３】
また、開放端部分における係止爪の突出方向も前記挿通方向に略平行に設けると、ロック解除部が前記一部の領域以外の部分から挿通方向の下流側に向かって且つ挿通孔の外部に延出するように形成される。
【００１４】
これにより、バンド部の厚み方向における開放端が係止爪の突出した挿通孔内部の面に接近する方向にロック解除部が押圧され易くなるので、開放端が解除され難いことがなく、ユーザの負担が増加することがない。
【００１５】
【発明の実施の形態】
図１は、この発明の実施形態に係る結束バンドの構成を示す外観図である。図１に示すように、この発明の結束バンド１は、バンド部１０及び挿通孔２０から構成され、ケーブル等を結束又は固定物に固定する。また、結束バンド１は、樹脂で形成されている。
【００１６】
バンド部１０は、連続する鋸歯状列歯１１を片面側に設けている。挿通孔２０は、バンド部１０の一端に連続して形成され、図２に示すようにバンド部１０を他端から挿通させる。また、挿通孔２０は、内部に係止爪２１を有する。係止爪２１は、開放端２２及びロック解除部２３等から構成され、挿通孔２０に挿通されたバンド部１０の鋸歯状列歯１１とバンド部１０の厚み方向に択一的に弾性係合する。
【００１７】
図２は、この発明の実施形態に係る結束バンドの鋸歯状列歯と係止爪との係合及び係合解除の状態を示す断面図である。図２に示すように係止爪２１は、バンド部１０を挿通孔２０に挿通する際の挿通方向である矢印Ｙ方向の下流側に向かって湾曲するように挿通孔２０内部の面から突出している。開放端２２は、鋸歯状列歯１１と対向する一部の領域が突出し、図２（ａ）に示すように鋸歯状列歯１１と係合するように形成されている。ロック解除部２３は、開放端２２の上記一部の領域以外の部分から矢印Ｙ方向の下流側に向かって挿通孔２０の外部に延出するように形成されている。
【００１８】
したがって、ケーブル等の結束等を行うには、図２（ａ）に示すようにバンド部１０にケーブル４０等が適切に抱持されるまで、バンド部１０を挿通孔２０に挿通させつつ開放端２２に対向する鋸歯状列歯１１の一歯と開放端２２とをバンド部１０の厚み方向である矢印Ｚ、Ｚ′方向に弾性係合させる。ここで、バンド部１０の厚み方向において、開放端２２が係止爪２１の突出した挿通孔２０内部の面から離間する方向を矢印Ｚ方向、また開放端２２が係止爪２１の突出した挿通孔２０内部の面に接近する方向を矢印Ｚ′方向とする。
【００１９】
なお、鋸歯状列歯１１と開放端２２の形状は、一度挿通孔２０に挿通されたバンド部１０を矢印Ｙ方向とは反対方向に挿通孔２０から引き抜けないように構成されている。
【００２０】
バンド部１０を矢印Ｙ方向に挿通する場合は、鋸歯状列歯１１の各歯の突出部分がバンド部１０を矢印Ｙ方向に挿通する力を用いて係止爪２１を矢印Ｚ、Ｚ′方向に弾性変形させる。これにより、鋸歯状列歯１１の各歯と開放端２２との係合・解除が繰り返されつつバンド部１０が挿通孔２０に挿通されていく。
【００２１】
これに対し、図２（ａ）に示す状態から矢印Ｙ方向とは反対方向にバンド部１０を挿通孔２０から引き抜こうとする場合は、開放端２２と係合している鋸歯状列歯１１の一歯がバンド部１０を引き抜こうとする力を用いて係止爪２１を矢印Ｚ′方向に弾性変形させる。そのため、開放端２２はバンド部１０に当接し、より強く鋸歯状列歯１１と係合してしまう。なお、開放端２２に当接されたバンド部１０は挿通孔２０を構成する壁面に支持されるので、バンド部１０が弾性変形して係合が解除されてしまうことはない。
【００２２】
一方、ケーブル４０等の結束等を解除するには、図２（ｂ）に示すように、ロック解除部２３を矢印Ｚ′方向に押圧する。これによって、図２（ｃ）に示すように、係止爪２１が矢印Ｚ′方向に弾性変形して鋸歯状列歯１１と開放端２２との係合が解除される。
【００２３】
以上の構成のように、この発明の実施形態に係る結束バンド１に矢印Ｚ、Ｚ′方向に弾性変形するように係止爪２１を構成し、且つ開放端２２の鋸歯状列歯１１に対向する一部の領域以外の部分から挿通孔２０の外部に突出したロック解除部２３を設けることによって、ロック解除部２３の操作により係止爪２１をバンド部１０から離間させることができるので、開放端２２を解除することができる。そのため、バンド部１０を切断せずにバンド部１０を挿通孔２０から引き抜くことができ、ユーザの負担を軽減することができる。
【００２４】
また、再び挿通孔２０にバンド部１０を挿通し且つ開放端２２と係合させて結束バンド１を再使用することができるので、コストを低減することができる。
【００２５】
しかも、矢印Ｙ方向の下流側に向かって湾曲するように係止爪２１を挿通２０の内部から突出させることによって、開放端２２部分における係止爪２１の突出方向が矢印Ｙ方向に略平行となる。これによって、係止爪２１を矢印Ｙ方向に略直交する方向である矢印Ｚ、Ｚ′方向に弾性変形させ易い。
【００２６】
また、開放端２２部分における係止爪２１の突出方向も矢印Ｙ方向に略平行に設けると、開放端２２の鋸歯状列歯１１と係合する領域以外の部分から矢印Ｙ方向の下流側に向かって且つ挿通孔２０の外部に延出するようにロック解除部２３を形成することができる。
【００２７】
これによって、ロック解除部２３を矢印Ｚ′方向に押圧し易くなるので、開放端２２を容易に解除でき、ユーザの負担をより軽減することができる。
【００２８】
【発明の効果】
この発明によれば、以下の効果を奏することができる。
【００２９】
（１）バンド部の厚み方向に弾性変形するように係止爪を構成し、且つ開放端の鋸歯状列歯に対向する一部の領域以外の部分から挿通孔の外部に突出したロック解除部を設けることによって、ロック解除部の操作により係止爪をバンド部から離間させることができるので、開放端を解除することができる。そのため、バンド部を切断せずにバンド部を挿通孔から引き抜くことができ、ユーザの負担を軽減することができる。
【００３０】
また、再び挿通孔にバンド部を挿通し且つ開放端と係合させて結束バンドを再使用することができるので、コストを低減することができる。
【００３１】
（２）挿通孔に挿通されるバンド部の挿通方向の下流側に向かって湾曲するように係止爪を挿通孔の内部から突出させることによって、開放端部分における係止爪の突出方向が上記挿通方向に略平行となる。これによって、係止爪を上記挿通方向に略直交する方向であるバンド部の厚み方向に弾性変形させ易い。
【００３２】
また、開放端部分における係止爪の突出方向も前記挿通方向に略平行に設けると、開放端の鋸歯状列歯と係合する領域以外の部分から挿通方向の下流側に向かって且つ挿通孔の外部に延出するようにロック解除部を形成することができる。
【００３３】
これによって、バンド部の厚み方向における開放端が係止爪の突出した挿通孔内部の面に接近する方向にロック解除部を押圧し易くなるので、開放端を容易に解除でき、ユーザの負担をより軽減することができる。
【図面の簡単な説明】
【図１】この発明の実施形態に係る結束バンドの構成を示す外観図である。
【図２】同結束バンドの鋸歯状列歯と係止爪との係合及び係合解除の状態を示す断面図である。
【図３】従来の結束バンドの構成を示す図である。
【符号の説明】
１−結束バンド
１０−バンド部
１１−鋸歯状列歯
２０−挿通孔
２１−係止爪
２２−開放端
２３−ロック解除部
【図１】
2004314998.tif 000003
【図２】
2004314998.tif 000004
【図３】
2004314998.tif 000005